(57)【要約】  【課題】動きの早い虫類を容易且つ確実に捕獲することができる虫類捕獲スプレー及び虫類捕獲スプレー用ノズルを得る。  【解決手段】本発明は、ノズル８に開穿された噴射孔１１，１１…から虫類に向かって内容物を噴射し、虫類を捕獲するように構成された虫類捕獲スプレー７であって、該虫類捕獲スプレー７の前記ノズル８は所定間隔離間して複数個開穿された噴射孔１１，１…を備えている虫類捕獲スプレーを提供する。【選択図】図１
2005185238.tif 000002
【特許請求の範囲】
【請求項１】
ノズルに開穿された噴射孔から虫類に向かって内容物を噴射し、虫類を捕獲するように構成された虫類捕獲スプレーであって、該虫類捕獲スプレーの前記ノズルは所定間隔離間して複数個開穿された噴射孔を備えていることを特徴とする虫類捕獲スプレー。
【請求項２】
上記ノズルは所定間隔離間して開穿された２乃至５個の上記噴射孔を備えていることを特徴とする請求項１記載の虫類捕獲スプレー。
【請求項３】
上記ノズルは同一円周上に所定間隔離間して開穿された複数の上記噴射孔を備えていることを特徴とする請求項１又は２記載の虫類捕獲スプレー。
【請求項４】
上記内容物は噴射された後、泡状液体となり、時間の経過と共に硬化するように構成されて成ることを特徴とする請求項１，２又は３記載の虫類捕獲スプレー。
【請求項５】
ノズルに開穿された噴射孔から虫類に向かって内容物を噴射し、虫類を捕獲するように構成された虫類捕獲スプレー用ノズルであって、該ノズルは所定間隔離間して複数個開穿された噴射孔を備えていることを特徴とする虫類捕獲スプレー用ノズル。
【請求項６】
上記ノズルは所定間隔離間して開穿された２乃至５個の上記噴射孔を備えていることを特徴とする請求項５記載の虫類捕獲スプレー用ノズル。
【請求項７】
上記ノズルは同一円周上に所定間隔離間して開穿された２乃至５個の上記噴射孔を備えていることを特徴とする請求項５又は６記載の虫類捕獲スプレー用ノズル。
【発明の詳細な説明】
【技術分野】
【０００１】
本発明は、虫類捕獲スプレー及び虫類捕獲スプレー用ノズルに関するものであり、特に、ノズルに開穿された噴射孔からゴキブリ等の虫類に向かって内容物を噴射し、虫類を捕獲すると共に、捕獲された虫類の廃棄を容易にした虫類捕獲スプレー及び虫類捕獲スプレー用ノズルに関するものである。
【背景技術】
【０００２】
従来、此種の虫類の駆除又は捕獲方法として、例えば、油溶性樹脂を有機溶剤で希釈した粘着性の樹脂液を飛翔性害虫類に噴射して飛翔性害虫を駆除する飛翔性害虫の駆除方法が知られている（特許文献１参照）。
【０００３】
又、噴射後、一時的に初期粘着性を有すると共に、その後、易剥離性となる樹脂組成物の捕獲用組成物を虫類に噴射して粘着させることにより、虫類を捕獲すると共に、該捕獲用組成物は比較的速やかに易剥離性となり、易剥離性となった段階で容易に拭き取ることができる虫類の捕獲用組成物及び虫類の捕獲方法が知られている（特許文献２参照）。
【０００４】
前記特許文献１記載の樹脂液、及び、前記特許文献２記載の捕獲用組成物はエアゾール容器等の噴射器から噴射するが、該特許文献１及び２には該噴射器について詳細な記載がなされていない。
【０００５】
図５はゴキブリ等の虫類を駆除又は捕獲するための公知の虫類捕獲スプレー１を示し、該虫類捕獲スプレー１は両端が閉塞されたスプレー容器本体２の上端に噴射筒３が立設して設けられ、該噴射筒３の上端に逆有底円筒状のノズル４が載置されている。そして、該ノズル４は図６に示す如く、該ノズル４の側面に側方に突出する円筒状のノズル筒５が形成されている。そして、該ノズル筒５の先端中心部に１個の噴射孔６が開穿され、該噴射孔６は前記ノズル４の内筒によって形成される内部連通路（図示せず）及び前記噴射筒３の内筒で形成される内部連通路（図示せず）を介して前記エアゾール容器本体２内と連通自在となっている。
【０００６】
そして、前記噴射筒３は弾性体（図示せず）によって常時上方に付勢されていると共に、該噴射筒３の下端部に開閉弁（図示せず）を備え、該噴射筒３が下方に押圧されて下方に移動すると、該開閉弁が開き、該噴射筒３が下方への押圧から開放されると該噴射筒３が上方に移動し、該開閉弁を閉塞するように構成されている。
【０００７】
而して、前記ノズル４の上端の押圧面４ａが操作者の指等で下方に押圧されると、該ノズル４は前記噴射筒３を押し下げ、該噴射筒３は下方に押し下げられると、該噴射筒３の下端に設けられた開閉弁が開放することにより前記エアゾール容器本体２内の噴射液（図示せず）が該噴射筒３の上端から噴出し、該噴射液は前記ノズル４内の連通路を通って前記噴射孔６に達し、該噴射孔６から側方に放射状又は直線状に噴射される。
【０００８】
そして、前記ノズル４の上端の押圧面４ａの押圧が解放されると、該ノズル４は前記噴射筒３を開放して上方に移動させ、該噴射筒３の下端部に設けられた開閉弁が閉塞し、前記エアゾール容器本体２内の噴射液の噴出を停止させる。
【０００９】
尚、前記噴射液は泡状に噴射され、この泡によって虫類を拘束捕獲し、更に、時間の経過によって硬化し、噴射液が硬化した硬化体（図示せず）は床等から容易に剥離でき、虫類と共に廃棄することができる。
【特許文献１】特開昭５２−１５４７７８号公報
【特許文献２】特開平１１−２５５６０３号公報
【発明の開示】
【発明が解決しようとする課題】
【００１０】
上記特許文献１記載の発明は、粘着性の樹脂液を噴射して飛翔性害虫の飛翔を妨害して飛翔性害虫を駆除するものであり、上記特許文献２記載の発明は、噴射後一時的に初期粘着性を有する捕獲用組成物を虫類に噴射して粘着させて捕獲するものであり、該捕獲性組成物は比較的速やかに易剥離性となり、容易に拭き取ることができるものである。
【００１１】
該特許文献１及び特許文献２記載の発明は何れも、虫類の動きを物理的に拘束して虫類を駆除又は捕獲するものであり、殺虫剤等を使用しない、又は、使用する必要がないので、殺虫剤による環境汚染の虞がなく、安全性が高いという長所を備えている。
【００１２】
図５に示した虫類捕獲スプレーはノズルに１つの噴射孔を備え、ノズルを押圧することにより、弁が開いて該噴射孔から噴射液を噴射するものである。そして、前記特許文献１記載の樹脂液、前記特許文献２記載の捕獲用組成物も該虫類捕獲スプレー等を用いて噴射される。
【００１３】
然しながら、該虫類捕獲スプレーは１つの噴射孔から噴射液を噴射するため、動き回る虫類に確実に的中させて捕獲するのは極めて困難であるという問題があった。
【００１４】
そこで、動きの早い虫類を容易且つ確実に捕獲することができる虫類捕獲スプレー及び虫類捕獲スプレー用ノズルを得るために解決すべき技術的課題が生じてくるのであり、本発明はこの課題を解決することを目的とする。
【課題を解決するための手段】
【００１５】
本発明は上記目的を達成するために提案されたものであり、ノズルに開穿された噴射孔から虫類に向かって内容物を噴射し、虫類を捕獲するように構成された虫類捕獲スプレーであって、該虫類捕獲スプレーの前記ノズルは所定間隔離間して複数個開穿された噴射孔を備えている虫類捕獲スプレー、
及び、上記ノズルは所定間隔離間して開穿された２乃至５個の上記噴射孔を備えている虫類捕獲スプレー、
及び、上記ノズルは同一円周上に所定間隔離間して開穿された複数の上記噴射孔を備えている虫類捕獲スプレー、
及び、上記内容物は噴射された後、泡状液体となり、時間の経過と共に硬化するように構成されて成る虫類捕獲スプレー、
及び、ノズルに開穿された噴射孔から虫類に向かって内容物を噴射し、虫類を捕獲するように構成された虫類捕獲スプレー用ノズルであって、該ノズルは所定間隔離間して複数個開穿された噴射孔を備えている虫類捕獲スプレー用ノズル、
及び、上記ノズルは所定間隔離間して開穿された２乃至５個の上記噴射孔を備えている虫類捕獲スプレー用ノズル、
並びに、上記ノズルは同一円周上に所定間隔離間して開穿された２乃至５個の上記噴射孔を備えている虫類捕獲スプレー用ノズルを提供する。
【発明の効果】
【００１６】
本発明の請求項１記載の発明は、ノズルに開穿された噴射孔から虫類に向かって内容物を噴射し、虫類を捕獲するように構成された虫類捕獲スプレーであって、該虫類捕獲スプレーの前記ノズルは所定間隔離間して複数個開穿された噴射孔を備えているので、複数個開穿されたノズルから噴射を行うことにより、広範囲に内容物を噴射することができるため虫類に対して的中率を高め、虫類を容易且つ確実に捕獲することができる。
【００１７】
又、請求項２記載の発明は、上記ノズルは所定間隔離間して開穿された２乃至５個の上記噴射孔を備えているので、請求項１記載の発明の効果に加え、更に、虫類に対する的中率を高めると共に、所定の噴射速度を確保することができる。
【００１８】
更に、請求項３記載の発明は、上記ノズルは同一円周上に所定間隔離間して開穿された複数の上記噴射孔を備えているので、請求項１又は２記載の発明の効果に加え、噴射液を所定範囲に散布することにより動きの早い虫類を効率良く捕獲することができる。
【００１９】
更に又、請求項４記載の発明は、上記内容物は噴射された後、泡状液体となり、時間の経過と共に硬化するように構成されて成るので、請求項１，２又は３記載の発明の効果に加え、虫類を安全に捕獲することができると共に、捕獲後の虫類の廃棄も容易である。
【００２０】
そして、請求項５記載の発明は、ノズルに開穿された噴射孔から虫類に向かって内容物を噴射し、虫類を捕獲するように構成された虫類捕獲スプレー用ノズルであって、該ノズルは所定間隔離間して複数個開穿された噴射孔を備えているので、請求項１記載の発明と略同様の効果が期待できる。
【００２１】
又、請求項６記載の発明は、上記ノズルは所定間隔離間して開穿された２乃至５個の上記噴射孔を備えているので、請求項２記載の発明と略同様の効果が期待できる。
【００２２】
更に、請求項７記載の発明は、上記ノズルは同一円周上に所定間隔離間して開穿された２乃至５個の上記噴射孔を備えているので、請求項３記載の発明と略同様の効果が期待できる等、正に著大なる効果を奏する発明である
【発明を実施するための最良の形態】
【００２３】
以下、本発明の一実施の形態を図１乃至図４に従って詳述する。尚、説明の都合上、従来例と同一構成部分については同一符号を付してその説明を省略する。
【００２４】
図１に於て、７はゴキブリ等の虫類捕獲スプレーであり、該虫類捕獲スプレー７は従来例の虫類捕獲スプレー(図５に於て１)のノズル（図５に於て４）に代えてノズル８を設けたものであり、該ノズル８は図２に示す如く、該ノズル８の側面に軸方向に直交して延びる比較的浅い溝９が切欠して形成され、該溝９の底部略中心部に円柱状のノズル筒１０が側方に突設して形成されている。そして、該ノズル筒１０の先端部には同一円周Ｓ上に互いに略等間隔に離間する３つの噴射孔１１，１１，１１が開穿されている。
【００２５】
更に、該噴射孔１１，１１，１１は前記ノズル８の内筒で形成される内部連通路（図示せず）及び前記噴射筒３の内部連通路（図示せず）を介して前記スプレー容器本体２内と連通自在となっている。尚、該スプレー容器本体２内にはアクリル樹脂及びイソパラフィン等をＬＰＧ等で溶かしてエアゾール化した内容物である噴射液がＬＰＧ等の噴射剤と共に収納されている。
【００２６】
而して、前記ノズル８の押圧面８ａが操作者の指等で下方に押圧されると、該ノズル８は前記噴射筒３を押し下げ、該噴射筒３は下方に押し下げられると、該噴射筒３の下端に設けられた開閉弁が開放することにより前記スプレー容器本体２内の噴射液が該噴射筒３の上端から噴出し、該噴射液は前記ノズル８内の内部連通路を通って前記噴射孔１１，１１，１１に達し、該噴射孔１１，１１，１１から夫々側方に放射状又は直線状に噴射される。
【００２７】
図３は前記噴射孔１１，１１，１１から放射状に噴射された噴射液１２，１２，１２が平らな床面に散布された状態を示し、各噴射孔１１，１１，１１から噴射された噴射液１２，１２，１２が３つの点を夫々中心とする略同円状、又は、同楕円状に互いに略等間隔に離間して泡状態で散布される。更に、操作者が、前記スプレー容器本体２を例えば左右に動かすと、前述した３つの点を夫々中心とする略同円状、又は、同楕円状の全体形状の上下幅を有し左右に延びる帯状に前記噴射液１２，１２，１２が散布される。これによって、散布される範囲内のゴキブリ等の虫類は噴射された泡状態の該噴射液１２，１２…によって動きを拘束されて捕獲され、且つ、該噴射液１２に被包されることによって窒息死し、或いは、拘束によって餓死する。
【００２８】
尚、前記虫類捕獲スプレー７は虫類を捕獲することを目的とするスプレーであるので、前記内容物に殺虫成分を含有させる必要はないが、殺虫成分を含有させた内容物としても良い。その場合、窒息死や餓死による致死効果以外に、殺虫成分による殺虫効果も期待できる。又、殺虫成分を含有した虫類捕獲スプレーは、内容物を噴射後に泡状液体となる成分を含有することにより、従来の殺虫スプレーと比べて噴射した際に殺虫成分が空中に拡散するのを減少させ、使用者が吸入する頻度を減らすことができる。
【００２９】
更に、前記噴射孔１１，１１，１１から直線状に噴射液１２，１２，１２が噴射される場合は、所定間隔離間する３つの点状或いは比較的狭い範囲のスポット状に散布され、その噴射速度が比較的高速になる利点がある。
【００３０】
更に又、該噴射液１２は時間の経過と共に硬化し、硬化した硬化体は床面等から容易に剥離でき、虫類と共に容易に廃棄することができる。
【００３１】
斯くして、前記虫類捕獲スプレー７は前記ノズル１０の３個の噴射孔１１，１１，１１から噴射液を噴射して動きの早いゴキブリ等の虫類等を容易且つ効率的に、そして、確実に捕獲することができる。又、捕獲後の虫類の廃棄も容易である。尚、広範囲に内容物が到達するので、完全に命中しなくても動きの素早いゴキブリ等の一部に付着させることができ、まずゴキブリ等の虫類の動きを鈍らせてから虫類捕獲スプレーを近づけて集中的に噴射し虫類を被包する使い方もできる。
【００３２】
又、１箇所の噴射孔である場合、噴射圧が高くなったり、内容物が噴射されて対象物への到達スピードが高くなる等の、勢いが強すぎて逆に虫類を吹き飛ばしてしまうことがあったが、複数箇所の噴射孔とすることで、内容物が分散されて軽量となり噴射の勢いを強すぎないようにすることができ、軽量な虫類を吹き飛ばすようなことがなくなり、この作用により捕獲性はさらに高くなる。
【００３３】
図４は他の実施例のノズル１３を示し、該ノズル１３は前記ノズル８の３つの噴射孔１１，１１，１１に代えて５つの噴射孔１１，１１…を同一円周状に開穿したものである。このように５つの噴射孔１１，１１…を開穿した場合、５つの噴射孔１１，１１…から５つの噴射流が生じ、更に、虫類等を広い範囲で、且つ、多点で捕獲することができ、虫類の捕獲が更に容易となる。
【００３４】
然しながら、該噴射孔１１，１１…が多すぎると噴射液の勢いが低下する等の問題がある。
【００３５】
従って、２乃至５個の噴射孔１１，１１…を同一円周上に配置したものが好適であり、然る時は、虫類を極めて容易且つ確実に捕獲することができる。又、エアゾールの圧力が均等に分布するように同一円周上に噴射孔１１，１１…を配置することにより、噴射液或いは噴射ガスを円の中心から各噴射孔１１，１１…に向けて均一に流体分布させることが可能となり、これによって各噴射孔１１，１１…から均一な流体噴射が行える。
【００３６】
尚、前記ノズル８及び１３に於て噴射孔１１，１１…を同一円周上に開穿したが、それに限定されるものではなく、種々の配列が考えられ、然る時は、その配列による効果が期待できる。
【００３７】
又、本発明は、本発明の精神を逸脱しない限り種々の改変を為すことができ、そして、本発明が該改変されたものに及ぶことは当然である。
【図面の簡単な説明】
【００３８】
【図１】本発明の一実施の形態を示し、虫類捕獲スプレーの正面図
【図２】（ａ）本発明の一実施の形態を示し、ノズルの正面図。（ｂ）本発明の一実施の形態を示し、ノズルの側面図。
【図３】図２に示すノズルを用いて噴射液を散布した状態を示す平面図
【図４】（ａ）本発明の他の実施の形態を示し、ノズルの正面図。（ｂ）本発明の他の実施の形態を示し、ノズルの側面図。
【図５】従来例を示し、虫類捕獲スプレーの正面図
【図６】（ａ）従来例を示し、ノズルの正面図。（ｂ）従来例を示し、ノズルの側面図
【符号の説明】
【００３９】
７          虫類捕獲スプレー
８，１２    ノズル
１１          噴射孔
【図１】
2005185238.tif 000003
【図２】
2005185238.tif 000004
【図３】
2005185238.tif 000005
【図４】
2005185238.tif 000006
【図５】
2005185238.tif 000007
【図６】
2005185238.tif 000008